(57)【要約】【目的】各々に電話交換機が設けられた拠点間を移動することが予定される移動端末によっても容易に通話できる電話交換システムを提供する。【構成】ネットワークを介して相互接続される複数の電話交換機と、各々が該電話交換機の何れか１に収容され得る複数の移動端末とを含む電話交換システムであり、該移動端末のうちの１の現在位置に応じて、該電話交換機のうちの何れか１つを収容先電話交換機として、これに該１の移動端末を収容し、該１の移動端末を収容する度に、該１の移動端末の端末ＩＤと当該収容先電話交換機の拠点情報との対応関係を登録する。次いで、該端末ＩＤの何れか１を着信先ＩＤとする呼の発信要求に応じて、該対応関係から当該着信先ＩＤに対応する拠点情報を判別し、判別した拠点情報に対応する収容先電話交換機を介して当該着信先ＩＤに対応する移動端末に当該呼を着信せしめる。【選択図】図２
2007201771.tif 000002
【特許請求の範囲】
【請求項１】
ネットワークを介して相互接続される複数の電話交換機と、各々が前記電話交換機の何れか１に収容され得る複数の移動端末とを含む電話交換システムであって、
前記移動端末のうちの１の現在位置に応じて、前記電話交換機のうちの何れか１つを収容先電話交換機として、これに前記１の移動端末を収容する収容手段と、
前記１の移動端末を収容する度に、前記１の移動端末の端末ＩＤと当該収容先電話交換機の拠点情報との対応関係を登録する登録手段と、
前記端末ＩＤの何れか１を着信先ＩＤとする呼の発信要求に応じて、前記対応関係から当該着信先ＩＤに対応する拠点情報を判別する判別手段と、
判別した拠点情報に対応する収容先電話交換機を介して当該着信先ＩＤに対応する移動端末に当該呼を着信せしめる着信手段と、
を含むことを特徴とする電話交換システム。
【請求項２】
前記収容手段は、前記１の移動端末からの当該収容先電話交換機に対する通信接続要求に応じて、当該収容先電話交換機は、前記１の移動端末の端末ＩＤを保持し前記端末ＩＤにより前記１の移動端末を識別して前記１の移動端末と当該収容先電話交換機との間に通信接続状態を形成することにより、前記１の移動端末を収容することを特徴とする請求項１記載の電話交換システム。
【請求項３】
前記登録手段により前記１の移動端末の端末ＩＤを登録した後に、前記１の移動端末が当該収容先電話交換機による収容状態から開放された場合に、当該収容先電話交換機の拠点情報と前記１の移動端末の端末ＩＤとの対応関係を削除する端末ＩＤ削除手段をさらに含むことを特徴とする請求項１記載の電話交換システム。
【請求項４】
前記登録手段により前記１の移動端末の端末ＩＤを登録した後に、前記１の移動端末から変更端末ＩＤを伴うＩＤ変更要求があった場合に、前記１の移動端末に関わる以前の対応関係を前記変更端末ＩＤと当該収容先電話交換機の拠点情報との対応関係に変更するＩＤ変更手段をさらに含むことを特徴とする請求項１記載の電話交換システム。
【請求項５】
前記端末ＩＤは、システム全体を通して一意の識別情報からなることを特徴とする請求項１記載の電話交換システム。
【請求項６】
前記端末ＩＤは、前記移動端末の利用者の識別情報からなることを特徴とする請求項１記載の電話交換システム。
【請求項７】
前記端末ＩＤは、１つのグループをなす複数の移動端末に対応することを特徴とする請求項１記載の電話交換システム。
【請求項８】
前記電話交換機のうちの１つは、前記登録手段を含むことを特徴とする請求項１記載の電話交換システム。
【請求項９】
前記移動端末は、従来型電話端末またはＩＰ電話端末であることを特徴とする請求項１記載の電話交換システム。
【発明の詳細な説明】
【技術分野】
【０００１】
本発明は、企業の事業所の如き複数拠点の各々に設けられる複数の電話交換機を含む電話交換システムに関し、特に、各拠点間を移動することが予定される電話端末を収容する電話交換システムに関する。
【背景技術】
【０００２】
近年、企業において複数拠点に跨がる大規模な通信インフラストラクチャを構築するケースが増加している。これらのケースでは、各拠点に構内交換機すなわちＰＢＸが配置され、各ＰＢＸ間が専用線等の回線で接続されて１つの電話交換システムが構築されている。かかる電話交換システムでは、個々の電話端末は各拠点のＰＢＸに収容されることにより始めて個々の端末にローカル番号が付与される。電話端末の利用者はかかるローカル番号で相手方を指定することで、電話端末間の内線通話を行うことができる（図１参照）。
【０００３】
ところで、ＶｏＩＰ（Voice over IP）やＩＰ（Internet Protocol）ネットワーク技術の普及により、各ＰＢＸをＩＰ交換機とし、これに収容される電話端末は従来型電話機のみならずＩＰプロトコルを使用したＩＰ電話機とするケースも出てきている。
【０００４】
特許文献１に開示される電話交換システムは、ＩＰ電話サーバを含み、該従来型電話機のホスト名を主装置のＩＰアドレスと関連付けて保持すると共に、該従来型電話機の電話番号を該従来型電話機のホスト名と関連付けて保持する手段を含むものであり、これより従来型電話機とＩＰ電話機とが相互に内線通話をすることが可能となるとしている。
【特許文献１】特開２００４−２２８９９７号公報
【発明の開示】
【発明が解決しようとする課題】
【０００５】
しかしながら、かかる電話交換システムは、１つの拠点に固定的に据え置かれたＩＰ電話機や従来型電話機を収容可能とするものの、各拠点間を移動することが予定される移動型の電話端末については考慮されていない。
【０００６】
本発明の目的は、各々に電話交換機が設けられた拠点間を移動することが予定される移動端末によっても容易に通話できる電話交換システムを提供することである。
【課題を解決するための手段】
【０００７】
本発明による電話交換システムは、ネットワークを介して相互接続される複数の電話交換機と、各々が該電話交換機の何れか１に収容され得る複数の移動端末とを含む電話交換システムであり、該移動端末のうちの１の現在位置に応じて、該電話交換機のうちの何れか１つを収容先電話交換機として、これに該１の移動端末を収容する収容手段と、
該１の移動端末を収容する度に、該１の移動端末の端末ＩＤと当該収容先電話交換機の拠点情報との対応関係を登録する登録手段と、該端末ＩＤの何れか１を着信先ＩＤとする呼の発信要求に応じて、該対応関係から当該着信先ＩＤに対応する拠点情報を判別する判別手段と、判別した拠点情報に対応する収容先電話交換機を介して当該着信先ＩＤに対応する移動端末に当該呼を着信せしめる着信手段とを含むことを特徴とする。
【発明の効果】
【０００８】
本発明による電話交換システムによれば、在来型電話機やＩＰ電話端末で有り得る移動端末がその端末ＩＤにより識別されると共に、その現在位置に応じてこれを収容する電話交換機を判別する構成が与えられる。これより、各々に電話交換機が設けられた拠点間を移動することが予定される移動端末によっても容易に通話が可能となる。
【発明を実施するための最良の形態】
【０００９】
本発明の実施例について添付の図面を参照しつつ詳細に説明する。
＜第１の実施例＞
図２は、本発明の第１の実施例におけるＩＰ電話交換システムの構成を示している。ここで、ＩＰ電話交換機２０１、２０２及び２０３は、各拠点に配置される交換機であり、ＩＰ電話機やソフトフォンを備えるＩＰ端末、並びにアナログ電話機やＰＨＳに代表される従来の電話端末を収容することができる交換機である。ＩＰ電話交換機２０１、２０２及び２０３は、ＩＰネットワーク２０６を介して接続されており相互に通信が可能となっている。
【００１０】
端末２０４は、ＩＰ電話交換機２０２に収容される固定電話端末であり、ＩＰ固定電話機やアナログ電話機の如く据え置き状態にて使用される端末である。端末２０５は、ＰＨＳやソフトフォンを備えるＩＰ端末の如き拠点間で移動可能な移動電話端末である。端末２０５は、拠点間の移動に伴ってＩＰ電話交換機２０２及びＩＰ電話交換機２０３の何れかに収容されて動作する。固定端末２０４及び移動端末２０５は、有線または無線を用いたスイッチ、ルータまたは無線基地局などの通信中継装置（図示せず）を介してＩＰ電話交換機２０２あるいは２０３に接続される。また、固定端末２０４及び移動端末２０５の各々は、端末毎にＩＤ番号が設定されて用いられる。
【００１１】
ここで、ＩＤ番号とは、端末ＩＤであり、ＩＰ電話交換システム内で一意且つ任意に設定できる番号である。すなわち、該ＩＤ番号は、各端末が製造段階で固有に備える端末固有情報とは異なり自由に設定可能な番号である。従って、該ＩＤ番号としては、ＩＰ電話交換機毎に設定される内線番号ではなく、例えば、企業内で個人に付与している社員番号等の番号が用いられる。図２を参照すると、端末２０４はＩＤ番号“１１１”が設定され、端末２０５は、ＩＤ番号“２２２”が設定されている。
【００１２】
ＩＰ電話交換機２０１は、通常の電話交換機能を備えると共に、各ＩＤ番号に対応する各端末がどの拠点のＩＰ電話交換機に収容されているかの管理、すなわちＩＤ位置管理を行う機能を備える交換機である。ＩＰ電話交換機２０１は、かかる管理を行うために、ＩＤ番号と各拠点を識別するための拠点情報との対応関係を与えるＩＤ位置情報テーブル２１１を内部に保有している。拠点情報としては、ＩＰ電話交換機２０２の識別情報やＩＰアドレスの如き拠点を一意に判別することができる情報であれば何れが使用されてもよい。本実施例の説明では、ＩＰ電話交換機２０２の拠点情報を“Ａ”とし、ＩＰ電話交換機２０３の拠点情報を“Ｂ”としている。
【００１３】
ＩＰ電話交換機２０２及び２０３は、通常の電話交換機能を備えると共に、拠点Ａ及び拠点Ｂの各々において収容される固定端末または移動端末の管理を行う交換機である。ＩＰ電話交換機２０２及び２０３の各々は、前述のＩＤ番号と当該ＩＰ電話交換機の拠点内で一意の番号であるローカル番号と、端末固有情報との対応関係を与えて、両者間の変換を行うためのＩＤ番号−ローカル番号変換テーブル２１２及び２１３を各々保有している。
【００１４】
ＩＰ電話交換機２０２及び２０３よる管理により、端末２０４は、テーブル２１４に示されるように、その端末固有情報“ａ”に対応してローカル番号１０番が設定され、端末２０５は、テーブル２１５に示されるように、その端末固有情報“ｂ”に対応してローカル番号２０番が設定されている。さらに、後述する端末移動時の処理シーケンスにより、端末２０５は、テーブル２１５’に示されるように、その端末固有情報“ｂ”に対応してローカル番号４０番が変更設定されている。
【００１５】
図３は、端末収容時（位置登録時）の処理シーケンスを示している。本図では、端末２０４または端末２０５がＩＰ電話交換機２０２及びＩＰ電話交換機２０３の何れかに収容される例が示されている。ここでは、端末２０４がＩＰ電話交換機２０２に収容される場合を以下説明する。
【００１６】
先ず、端末２０４が電源投入等の操作により起動されたとする（ステップＳ１０１）。端末２０４は、ＩＰ電話交換機２０２に対して接続要求を行う（ステップＳ１０２）。ＩＰ電話交換機２０２は、端末２０４が接続されたことを検出して、収容する端末２０４に対して端末固有情報を参照して（ステップＳ１０３）、拠点内で一意の番号であるローカル番号を割り当てる（ステップＳ１０４）。端末固有情報は、端末のＭＡＣアドレスの如く端末毎に固有に保持されている情報であれば何を使用してもよい。例えば、端末２０４にローカル番号“１０”が割り当てられる（図２参照）。次いで、ＩＰ電話交換機２０２は、割り当てたローカル番号と共に接続許可を端末２０４に送信する（ステップＳ１０５）。
【００１７】
次に、ローカル番号を割り当てられた端末２０４は、自身にＩＤ番号が設定されているか否かを判断する（ステップＳ１０６）。ＩＤ番号が未設定である場合、端末２０４はＩＤ番号が設定されるまで待機状態となる。ＩＤ番号が設定済みである場合、端末２０４はＩＰ電話交換機２０２に対して当該ＩＤ番号を通知する（ステップＳ１０７）。
【００１８】
次に、端末２０４からＩＤ番号を受信したＩＰ電話交換機２０２は、ＩＤ−ローカル番号変換テーブル２１２内の端末２０４のローカル番号に対応するＩＤ番号領域に、通知されたＩＤ番号を格納する（ステップＳ１０８）。例えば、ＩＰ電話交換機２０２は、ＩＤ−ローカル番号変換テーブル２１２内の端末２０４の端末固有情報“ａ”に対応するＩＤ番号領域にＩＤ番号“１１１”を格納する（図２参照）。以上の処理により、端末２０４とＩＰ電話交換機２０２と間で通信接続状態が確立される。
【００１９】
次に、ＩＰ電話交換機２０２は、ＩＤ番号“１１１”が設定された端末２０４がＩＰ電話交換機２０２自身に収容されたことを通知するため、ＩＰ電話交換機２０１に対してＩＤ登録通知を送信する（ステップＳ１０９）。通知する内容は、収容された端末に対応するＩＤ番号および拠点情報である。
【００２０】
次に、ＩＰ電話交換機２０１は、ＩＰ電話交換機２０２からＩＤ登録通知を受信し、ＩＰ電話交換機２０２にＩＤ番号“１１１”（端末２０４）が収容されたことを認識する。そこで、ＩＰ電話交換機２０１は、ＩＤ番号“１１１”と拠点Ａ（ＩＰ電話交換機２０２）との対応関係、すなわちＩＤ位置情報をＩＤ位置情報テーブル２１１に登録する（ステップＳ１１０）。
【００２１】
以上の端末収容に関わる登録処理を、ＩＰ電話交換機２０１および２０２は、ＩＤ番号を通知してきた全端末（端末２０４及び２０５）について行う。これにより、ＩＰ電話交換機２０１はシステム内の全てのＩＤ番号についてどの拠点に収容されているかを管理することができる。
【００２２】
図４は、端末移動時の処理シーケンスを示している。本図を参照して、移動端末である端末２０５が拠点Ａ（ＩＰ電話交換機２０２）から拠点Ｂ（ＩＰ電話交換機２０３）に移動した場合の動作について以下説明する。
【００２３】
先ず、端末２０５が電源投入等の操作により起動されたとする（ステップＳ２０１）。端末２０５は、ＩＰ電話交換機２０２に対して接続要求を行う（ステップＳ２０２）。ＩＰ電話交換機２０２は、端末２０５が接続されたことを検出して、収容する端末２０５に対して端末固有情報を参照して（ステップＳ２０３）、拠点内で一意の番号であるローカル番号を割り当てる（ステップＳ２０４）。例えば、端末２０５にローカル番号２０番が割り当てられる（図２参照）。次いで、ＩＰ電話交換機２０２は、割り当てたローカル番号と共に接続許可を端末２０５に送信する（ステップＳ２０５）。
【００２４】
次に、ローカル番号を割り当てられた端末２０５は、自身にＩＤ番号が設定されているか否かを判断する（ステップＳ２０６）。ＩＤ番号が未設定である場合、端末２０５はＩＤ番号が設定されるまで待機状態となる。ＩＤ番号が設定済みである場合、端末２０５はＩＰ電話交換機２０２に対して当該ＩＤ番号を通知する（ステップＳ２０７）。
【００２５】
次に、端末２０５からＩＤ番号を受信したＩＰ電話交換機２０２は、ＩＤ−ローカル番号変換テーブル２１２内の端末２０５のローカル番号に対応するＩＤ番号領域に、通知されたＩＤ番号を格納する（ステップＳ２０８）。例えば、ＩＰ電話交換機２０２は、ＩＤ−ローカル番号変換テーブル２１２内の端末２０５の端末固有情報“ｂ”に対応するＩＤ番号領域にＩＤ番号“２２２”を格納する（図２参照）。以上の処理により、端末２０５とＩＰ電話交換機２０２と間で通信接続状態が確立される。
【００２６】
次に、ＩＰ電話交換機２０２は、ＩＤ番号“２２２”が設定された端末２０５がＩＰ電話交換機２０２自身に収容されたことを通知するため、ＩＰ電話交換機２０１に対してＩＤ登録通知を送信する（ステップＳ２０９）。通知する内容は、収容された端末に対応するＩＤ番号および拠点情報である。
【００２７】
次に、ＩＰ電話交換機２０１は、ＩＰ電話交換機２０２からＩＤ登録通知を受信し、ＩＰ電話交換機２０２にＩＤ番号“２２２”（端末２０５）が収容されたことを認識する。そこで、ＩＰ電話交換機２０１は、ＩＤ番号“２２２”と拠点Ａ（ＩＰ電話交換機２０２）との対応関係、すなわちＩＤ位置情報をＩＤ位置情報テーブル２１１に登録する（ステップＳ２１０）。
【００２８】
ここで、端末２０５が電源断された、あるいは端末２０５が拠点Ａの無線エリアから離脱したとする。そこで、ＩＰ電話交換機２０２は、端末２０５の切断を検出する（ステップＳ２１１）。ＩＰ電話交換機２０２は、ＩＤ番号“２２２”が設定された端末２０５がＩＰ電話交換機２０２自身への収容状態から開放されたことを通知するため、ＩＰ電話交換機２０１に対して、ＩＤ番号を指定して拠点情報の削除要求を送信する（ステップＳ２１２）。ＩＰ電話交換機２０１は、ＩＰ電話交換機２０２から該削除要求を受信し、ＩＰ電話交換機２０２からＩＤ番号“２２２”（端末２０５）が開放されたことを認識する。そこで、ＩＰ電話交換機２０１は、ＩＤ位置情報テーブル２１１におけるＩＤ番号“２２２”と拠点Ａ（ＩＰ電話交換機２０２）との対応関係、すなわちＩＤ位置情報を削除する（ステップＳ２１３）。
【００２９】
端末２０５の利用者の拠点間移動の後に、端末２０５が拠点Ｂの無線エリアに到達したとする。ここで、再び、端末２０５が電源投入等の操作により起動されたとする（ステップＳ２１４）。端末２０５は、ＩＰ電話交換機２０３に対して接続要求を行う（ステップＳ２１５）。ＩＰ電話交換機２０３は、端末２０５が接続されたことを検出して、収容する端末２０５に対して端末固有情報を参照して（ステップＳ２１６）、拠点内で一意の番号であるローカル番号を割り当てる（ステップＳ２１７）。例えば、端末２０５にローカル番号４０番が割り当てられる（図２参照）。次いで、ＩＰ電話交換機２０３は、割り当てたローカル番号と共に接続許可を端末２０５に送信する（ステップＳ２１８）。
【００３０】
次に、ローカル番号を割り当てられた端末２０５は、自身にＩＤ番号が設定されているか否かを判断する（ステップＳ２１９）。ＩＤ番号が未設定である場合、端末２０５はＩＤ番号が設定されるまで待機状態となる。ＩＤ番号が設定済みである場合、端末２０５はＩＰ電話交換機２０３に対して当該ＩＤ番号を通知する（ステップＳ２２０）。
【００３１】
次に、端末２０５からＩＤ番号を受信したＩＰ電話交換機２０３は、ＩＤ−ローカル番号変換テーブル２１３内の端末２０５のローカル番号に対応するＩＤ番号領域に、通知されたＩＤ番号を格納する（ステップＳ２２１）。例えば、ＩＰ電話交換機２０３は、ＩＤ−ローカル番号変換テーブル２１２内の端末２０５の端末固有情報“ｂ”に対応するＩＤ番号領域にＩＤ番号“２２２”を格納する（図２参照）。以上の処理により、端末２０５とＩＰ電話交換機２０３と間で通信接続状態が確立される。
【００３２】
次に、ＩＰ電話交換機２０３は、ＩＤ番号“２２２”が設定された端末２０５がＩＰ電話交換機２０３自身に収容されたことを通知するため、ＩＰ電話交換機２０１に対してＩＤ登録通知を送信する（ステップＳ２２２）。通知する内容は、収容された端末に対応するＩＤ番号および拠点情報である。
【００３３】
次に、ＩＰ電話交換機２０１は、ＩＰ電話交換機２０３からＩＤ登録通知を受信し、ＩＰ電話交換機２０３にＩＤ番号“２２２”（端末２０５）が収容されたことを認識する。ＩＰ電話交換機２０１は、ＩＤ番号“２２２”の収容拠点Ａ（ＩＰ電話交換機２０２）を削除し、収容拠点Ｂ（ＩＰ電話交換機２０３）を、端末位置情報テーブル２１１に登録し直す（ステップＳ２２３）。
【００３４】
上記の処理シーケンスにより、端末が移動した場合においても、端末にＩＤ番号が設定されていれば、ＩＰ電話交換機２０１はＩＤ番号の収容位置を認識することによって、端末がどの拠点に収容されているかを管理することができる。
【００３５】
図５は、ＩＤ番号変更時の処理シーケンスを示している。本図を参照して、拠点Ａ（ＩＰ電話交換機２０２）に接続されている固定端末２０４において、ＩＤ番号が変更された場合の動作を以下に説明する。これは、使用者が特定されていない端末に対して、端末の使用時に使用者が自分のＩＤ番号を設定することによって、自分の端末として使用する場合である。
【００３６】
先ず、最初にＩＰ電話交換機２０２は、端末２０４の収容処理を行う（ステップＳ３０１〜Ｓ３１０）。かかる動作は、図３に示された端末収容（ＩＤ位置登録）シーケンスと同じであるため説明を省略する。
【００３７】
次に、端末２０４の端末操作によって、端末２０４のＩＤ番号が変更された場合（ステップＳ３１１）、端末２０４はＩＤ番号通知を送信する（ステップＳ３１２）。端末２０４よりＩＤ番号通知を受信したＩＰ電話交換機２０２は、ＩＤ−ローカル番号変換テーブル２１２において、変更前のＩＤ番号を削除する（ステップＳ３１３）と共に、変更後のＩＤ番号を保持する（ステップＳ３１６）。次いで、ＩＰ電話交換機２０２は、ＩＰ電話交換機２０１に対して、変更前のＩＤ番号と拠点情報を含むＩＤ削除通知を送信する（ステップＳ３１４）と共に、変更後のＩＤ番号と拠点情報を含むＩＤ登録通知を送信する（ステップＳ３１７）。
【００３８】
次に、ＩＰ電話交換機２０１は、ＩＰ電話交換機２０２から、変更前のＩＤ削除通知および、変更後のＩＤ登録通知を受信する。そして、ＩＤ位置情報テーブル２１１から、変更前のＩＤを削除し、さらに変更後のＩＤの登録を行う（ステップＳ３１５及びＳ３１８）。
【００３９】
上記の処理により、端末のＩＤ番号が変更された場合においても、ＩＰ電話交換機２０１はＩＤ番号の位置情報テーブルを変更することによって、ＩＤ番号がどの拠点に収容されているかを管理することができる。
【００４０】
以上の例では、端末にＩＤ番号を設定することを前提としていたが、このＩＤ番号を設定できない端末の場合、ＩＰ電話交換機にＩＤ番号の通知を行うことができない。このような場合は、端末を収容するＩＰ電話交換機のＩＤ−ローカル番号変換テーブルにおいてＩＤ番号を固定に設定するようにしてもよい。また、ＩＤ番号を端末に設定するのではなく、接続要求としてのログイン情報を基にＩＤ番号を通知する方法としてもよい。このログイン情報としては、例えば、ソフトフォンの搭載されているパソコンのログインＩＤや、端末に接続されたスマートカードに登録されているＩＤ番号等が用いられ得る。
【００４１】
図６は、通常の通話シーケンスを示している。本図を参照して、ＩＤ番号１１１（端末２０４）からＩＤ番号“２２２”（端末２０５）に発信する例を以下に説明する。
【００４２】
先ず、端末２０４の利用者がＩＤ番号“２２２”をダイヤルすることにより、端末２０４は発信を行う（ステップＳ４０１）。これにより、端末２０４からＩＰ電話交換機２０２に対し発信要求が送信される（ステップＳ４０２）。発信要求を受信したＩＰ電話交換機２０２は、着信先であるＩＤ番号“２２２”がどの拠点に収容されていることを知らないため、着信先番号抽出を開始する（ステップＳ４０３）。すなわち、ＩＰ電話交換機２０２は、ＩＰ交換機２０１に対して位置情報要求を送信する（ステップＳ４０４）。
【００４３】
該位置情報要求に応じて、ＩＰ電話交換機２０１は、ＩＤ位置情報テーブル２１１を参照して位置検索を行い（ステップＳ４０５）、ＩＤ番号“２２２”が拠点Ｂ（ＩＰ電話交換機２０３）に収容されていることを認識する。ＩＰ電話交換機２０１は、ＩＤ番号“２２２”が拠点Ｂに収容されていることを表す位置情報を応答する（ステップＳ４０６）。
【００４４】
ＩＰ電話交換機２０１からＩＤ番号“２２２”の位置情報を取得することにより、ＩＰ電話交換機２０２は、着信先拠点としてＩＤ番号“２２２”（端末２０５）の位置（拠点Ｂ）を判別する（ステップＳ４０７）。次いで、ＩＰ電話交換機２０２は、ＩＰ電話交換機２０３（拠点Ｂ）に向けて発信要求を送信する（ステップＳ４０８）。
【００４５】
次に、ＩＰ電話交換機２０２より発信要求を受信したＩＰ電話交換機２０３は、着信番号を取得し、内部で持っているＩＤローカル番号変換テーブル２１３を参照し、ＩＤ番号からローカル番号に変換する（ステップＳ４０９）。次いで、ＩＰ電話交換機２０３は、取得したローカル番号に対応する端末２０５に当該発信呼を着信させる（ステップＳ４１０）。
【００４６】
着信がなされた端末２０５がこれに応答する（ステップＳ４１１）ことにより、以下応答信号がＩＰ交換機２０３、ＩＰ交換機２０２及び端末２０４に送信される（ステップＳ４１２〜Ｓ４１４）。以上の処理により、端末２０４と端末２０５との間で通話がなされる（ステップＳ４１５）。
【００４７】
図７は、第１の実施例の変形例であり、ＳＩＰ（Session Initiation Protocol）プロトコルを用いた通常通話時の処理シーケンスを示している。図６に示された通常の通話シーケンスにおける端末登録および位置情報の問い合せ処理は、独自の通信方式が用いられてもよいが、呼制御プロトコルであるＳＩＰプロトコルを使用することができる。この場合、位置情報管理を行うＩＰ電話交換機は、ＳＩＰのリダイレクトサーバと同様の動作を行う。かかる実施方法を用いることにより、ＳＩＰ端末以外の端末、すなわちＩＰ電話交換機に収容されるアナログ電話機、ＰＨＳ等もＳＩＰ端末と区別なく使用できる。
【００４８】
先ず、端末２０４及び２０５からの接続要求（ステップＳ５０１及びＳ５０３）に応じて、ＩＰ電話交換機２０２及び２０３は、ＩＰ電話交換機２０１に対して、Registerメッセージを使用して端末登録を行う（ステップＳ５０２及びＳ５０４）。かかるＳＩＰプロトコルを用いた登録要求に応じて、ＩＰ電話交換機２０１は位置情報登録を行う（ステップＳ５０５）。
【００４９】
以下、図６に示された処理シーケンスと同様の処理により位置情報の問い合わせから端末２０４と端末２０５との通話を実現する（ステップＳ６０１〜Ｓ６１５）。この際に、発信動作においてInviteメッセージ（ステップＳ６０４及びＳ６０８）を使用され、応答動作において１００Tryingや２００ ＯＫ（ステップＳ６１３）等のメッセージが使用されてＩＰ電話交換機間の呼制御が行われる。
【００５０】
以上のように、第１の実施例によれば、固定端末や移動端末の区別なく、ＩＤ番号の位置情報を一元管理することによって、システム内の番号を一意に割り当てることが可能となる。これにより、ＩＰ電話交換機の番号計画に依存せず且つシステム内で一意な番号を使用して呼制御を行うことができる。
【００５１】
尚、位置情報を管理するＩＰ電話交換機や端末を管理する各拠点に配置されるＩＰ電話交換機は、ＳＩＰプロトコルを使用する等の方法により位置情報の登録及び問い合せ手順が共通化されていれば、異なるサービスを提供する交換機でもよい。これにより、異なる交換機を混在させたシステムの構築が可能となる。
＜第２の実施例＞
図８は、本発明の第２の実施例におけるＩＰ電話交換システムの構成を示している。ここで、ＩＰ電話交換機５０１、５０２及び５０３は、第１の実施例の同様に、ＩＰネットワーク２０６を介して接続されており相互に通信が可能となっている交換機である。端末５０４は、第１の実施例における固定端末と同様の端末である。端末グループ５０５は、複数の端末からなるグループである。
【００５２】
第２の実施例においては、特に、ＩＰ電話交換機５０３がＩＤ−グループ番号変換テーブル５１３を内部に持っている。ＩＤ−グループ番号変換テーブル５１３は、第１の実施例における説明におけると同様のＩＤ番号と、各拠点に収容されている複数の端末が群分けされた端末グループとの関連付けをするテーブルである。ここでいう端末グループとは、内線代表グループ、ＤＧＬ（Direct Group Line）着信グループ、スライド着信グループ等のグループが挙げられる。本実施例では、例として１つの端末グループ５０５があるものとする。
【００５３】
本図を参照して、第２の実施例における動作について説明すると、先ず、ＩＰ電話交換機５０３は、自身の起動時に、ＩＤ−グループ番号変換テーブル５１３を参照する。この際に、ＩＤ−グループ番号変換テーブル５１３内にＩＤ番号が割り振られている端末グループがあった場合、ＩＰ電話交換機５０３は、ＩＤ−グループ番号変換テーブル５１３内に割り当てられているＩＤ番号の登録通知をＩＰ電話交換機５０１に対して送信する。
【００５４】
ＩＰ電話交換機５０１は、ＩＰ電話交換機５０３からＩＤ番号登録通知を受信し、ＩＰ電話交換機５０３にＩＤ番号“４４４”に設定されたグループ５０５が収容されたことを認識し、ＩＤ位置情報テーブル５１１に登録する。この場合、グループ５０５は、ＩＰ電話交換機５０３の拠点内の複数端末を含むグループ番号であるが、ＩＰ電話交換機５０１は、これをＩＰ電話交換機５０３に収容されている１つの端末として扱う。
【００５５】
以上の登録処理を、ＩＰ電話交換機５０３は、ＩＤ−グループ番号変換テーブル５１３に登録されいる全てのグループについて行う。これにより、ＩＰ電話交換機システムは、ＩＰ電話交換機５０３に向けたグループ着信を、システム内の端末と同様の処理で扱うことが可能となる。
【００５６】
ここで、既に端末登録手順がなされた端末５０４から、ＩＤ番号“４４４”をダイヤルした場合を想定する。ＩＰ電話交換機５０２は、ＩＰ電話交換機５０１に対してＩＤ番号“４４４”のＩＤ位置情報の問い合せ処理を行う。ＩＰ電話交換機５０１は、ＩＰ電話交換機５０２に対してＩＤ番号“４４４”のＩＤ位置情報として拠点Ｂ（ＩＰ電話交換機５０３）を返信する。ＩＰ電話交換機５０２は、ＩＤ番号“４４４”の収容位置が判別できたため、ＩＰ電話交換機５０３に向けて発信を行う。
【００５７】
ＩＰ電話交換機５０２から発信を受信したＩＰ電話交換機５０３は、ＩＤ−グループ番号変換テーブル５１３を参照して、着信番号としてのＩＤ番号“４４４”からグループ番号Ｘ番に変換する。ＩＰ電話交換機５０３は、変換されたグループ番号Ｘ番に対応するグループ５０５に対してグループ着信サービスを行う。
【００５８】
以上の第２の実施例において、各拠点の端末を個別に指定する個別着信番号のみならず、グループ系着信番号についても、ＩＤ番号を使用した発信を行うことができる。
【図面の簡単な説明】
【００５９】
【図１】従来技術における端末収容の様子を説明する説明図である。
【図２】本発明の第１の実施例におけるＩＰ電話交換機システムの構成を示すブロック図である。
【図３】端末収容時（位置登録時）の処理シーケンスを示すシーケンス図である。
【図４】端末移動時の処理シーケンスを示すシーケンス図である。
【図５】ＩＤ番号変更時の処理シーケンスを示すシーケンス図である。
【図６】通常通話時の処理シーケンスを示すシーケンス図である。
【図７】第１の実施例の変形例であり、ＳＩＰプロトコルを用いた通常通話時の処理シーケンスを示すシーケンス図である。
【図８】本発明の第２の実施例におけるＩＰ電話交換機システムの構成を示すブロック図である。
【符号の説明】
【００６０】
２０１、２０２、２０３、５０１、５０２、５０３  ＩＰ電話交換機
２０４、２０５、５０４  端末
２０６、５０６  ＩＰネットワーク
２１１、５１１  ＩＤ位置情報テーブル
２１２、２１３、５１２  ＩＤ−ローカル番号変換テーブル
２１４、２１５、２１５’、５１４  テーブル
５０５  端末グループ
５１３  ＩＤ−グループ番号変換テーブル
【図１】
2007201771.tif 000003
【図２】
2007201771.tif 000004
【図３】
2007201771.tif 000005
【図４】
2007201771.tif 000006
【図５】
2007201771.tif 000007
【図６】
2007201771.tif 000008
【図７】
2007201771.tif 000009
【図８】
2007201771.tif 000010